(57)【要約】【課題】発光による温度上昇を抑えながらも、光を有効に利用でき、また、装置周辺の過熱や劣化作用を抑制することができる光源装置及びこれを用いたプロジェクタを提供すること。【解決手段】第２封止部１４の後方側をカバーするように反射ミラー４を配置している。従って、反射ミラー４は、迷光ＳＬを第２封止部１４側に反射する。これにより、迷光ＳＬは有効な光として利用される。また、これにより、第２封止部１４の後方への迷光ＳＬの照射を防ぐこともできるため、第２封止部１４の後方周辺に部材がある場合に、当該部材を劣化等させることもない。【選択図】図２
2008117644.tif 000002
【特許請求の範囲】
【請求項１】
一対の電極を内部に離間配置するための放電空間を有する本体部分と、前記本体部分か
ら後方に延びる封止部とを有する発光管と、
前記発光管の前記封止部に固定され前記放電空間内において発生した光源光を反射して
前方に射出する射出反射鏡と、
前記封止部の少なくとも後方側の端部を覆う反射部材と
を備える光源装置。
【請求項２】
前記反射部材は、コールドミラーを有する請求項１記載の光源装置。
【請求項３】
前記反射部材は、前記コールドミラーの背面に拡散手段を有する請求項２記載の光源装
置。
【請求項４】
前記コールドミラーは、前記封止部の表面に設けられる請求項２及び請求項３のいずれ
か一項の光源装置。
【請求項５】
前記反射部材は、前記封止部とは離間して配置される請求項１から請求項３のいずれか
一項記載の光源装置。
【請求項６】
前記反射部材は、可視光波長帯領域の光を反射する請求項１から請求項５のいずれか一
項記載の光源装置。
【請求項７】
前記反射部材の放熱を行うための冷却装置をさらに備える請求項１から請求項６のいず
れか一項記載の光源装置。
【請求項８】
請求項１から請求項７のいずれか一項記載の光源装置と、
前記光源装置からの照明光によって照明される光変調装置と、
前記光変調装置を経た像光を投射する投射光学系と
を備えるプロジェクタ。
【発明の詳細な説明】
【技術分野】
【０００１】
本発明は、発光管を有する光源装置及びこれを用いたプロジェクタに関する。
【背景技術】
【０００２】
例えば、プロジェクタ等に用いられる光源装置として、放電型の発光管を用いるものが
知られており、このような光源装置の発光管には、その後方側の一部が露出しているもの
がある（特許文献１参照）。
【０００３】
また、一方、光源装置の発光管の後方側に、発光管の封止部を固定するための口金が設
けられているものも知られている（特許文献２参照）。
【特許文献１】特開２００５−２７４７２９号公報
【特許文献２】特開２００４−２５３２５０号公報
【発明の開示】
【発明が解決しようとする課題】
【０００４】
しかしながら、発光管の後方側が露出している構造の場合、光の一部が、リフレクタに
反射されず、光源装置の後方に漏れ、有効に利用されない可能性がある。このような光源
装置が、例えば、プロジェクタに利用された場合、光源装置の後方に抜けた光が、光源装
置を取り囲むハウジング等の部材を照射し、当該部材を過熱し劣化させる可能性もある。
【０００５】
一方、光源装置の発光管の後方側に口金を用いた場合、点灯時に熱がこもり、ランプの
温度が上昇しやすくなる可能性がある。
【０００６】
そこで、本発明は、発光による温度上昇を抑えながらも、光を有効に利用でき、また、
装置周辺の過熱や劣化作用を抑制することができる光源装置及びこれを用いたプロジェク
タを提供することを目的とする。
【課題を解決するための手段】
【０００７】
上記課題を解決するために、本発明に係る光源装置は、（ａ）一対の電極を内部に離間
配置するための放電空間を有する本体部分と、本体部分から後方に延びる封止部とを有す
る発光管と、（ｂ）発光管の封止部に固定され放電空間内において発生した光源光を反射
して前方に射出する射出反射鏡と、（ｃ）封止部の少なくとも後方側の端部を覆う反射部
材とを備える。ここで、「前方」とは、上記射出反射鏡より射出される光源光の全体とし
ての進行方向を意味する。従って、「後方」とは、その進行方向の逆方向をいう。
【０００８】
上記光源装置では、反射部材により、封止部の少なくとも後方側が覆われているので、
封止部の後方に漏れる光を反射により前方へ戻すことができ、光の利用効率を上げること
ができる。また、当該反射部材の後方への光の漏れを抑制し、後方側にある部材の劣化等
を抑えることができる。
【０００９】
また、本発明の具体的な態様として、反射部材が、コールドミラーを有する。これによ
り、例えば可視光波長帯領域といった特定波長の光のみ反射させることが可能であり、赤
外光や紫外光が照明光となる量を低減させることができる。
【００１０】
また、本発明の具体的な態様として、反射部材が、コールドミラーの背面に拡散手段を
有する。これにより、コールドミラーを透過した光の成分を一定の箇所に集中させず、拡
散できるので、反射部材の後方側にある部材の劣化等を低減することができる。
【００１１】
また、本発明の具体的な態様として、コールドミラーが、封止部の表面に設けられる。
これにより、封止部の後方側に別体として新たな部材を設置する必要がなく、簡易な構造
でありながら、封止部の後方に漏れ出す可能性のある光を封止部の表面である後方側端面
において前方へ戻すことができる。
【００１２】
また、本発明の具体的な態様として、反射部材が、封止部とは離間して配置される。こ
れにより、封止部の後方側端面を露出させて放熱効果を高めることができる。
【００１３】
また、本発明の具体的な態様として、反射部材が、可視光波長帯領域の光を反射する。
これにより、例えば、当該光源装置をプロジェクタに用いる場合に、プロジェクタの光源
光として必要な可視光波長帯領域の光を効率良く利用することができる。
【００１４】
また、本発明の具体的な態様として、光源装置が、反射部材の放熱を行うための冷却装
置をさらに備える。これにより、反射部材及びその周辺において、効果的な冷却を行うこ
とができる。
【００１５】
また、上記課題を解決するために、本発明に係るプロジェクタは、（ａ）上記いずれか
の光源装置と、（ｂ）光源装置からの照明光によって照明される光変調装置と、（ｃ）光
変調装置を経た像光を投射する投射光学系とを備える。本発明に係るプロジェクタでは、
上記いずれかの光源装置を用いるので、光を有効に利用できる。また、光源装置から漏れ
出る迷光による過熱や劣化作用が抑制されているので、例えば、ハウジングや筐体といっ
たプロジェクタ内における光源装置の周辺部材の劣化等を抑制することができる。
【発明を実施するための最良の形態】
【００１６】
〔第１実施形態〕
図１は、第１実施形態に係る光源装置について説明するための側断面図である。本実施
形態に係る光源装置１００は、ランプユニット１０と、反射ミラー４と、冷却ファン６と
、ハウジング８とを備える。ここで、ランプユニット１０は、放電発光型の発光管１と、
楕円型の主反射鏡であるリフレクタ２と、球面状の副反射鏡である副鏡３とを備える。反
射ミラー４は、ランプユニット１０から射出方向に対して後方に漏れる光を射出方向へ反
射する反射部材である。冷却ファン６は、光源装置１００の温度上昇を抑えるための冷却
装置であるが、ここでは、特に反射ミラー４及びその周辺領域の放熱を行う。ハウジング
８は、ランプユニット１０等の部材を一体の装置として遮光された空間内に納める収納部
材である。
【００１７】
ランプユニット１０において、発光管１は、中央部が球状に膨出した透光性の石英ガラ
ス管から構成され、照明用の光を放射する本体部分１１と、この本体部分１１の両端側に
延びる第１及び第２封止部１３、１４とを備える。
【００１８】
本体部分１１により形成される放電空間１２の内部には、所定距離で離間配置されたタ
ングステン製の第１及び第２の電極１５、１６の先端部と、希ガス、金属ハロゲン化合物
等を含む放電媒体であるガスとが封入されている。一方、各封止部１３、１４の内部には
、本体部分１１に設けた第１及び第２の電極１５、１６と電気的に接続されるモリブデン
製の金属箔１７ａ、１７ｂが挿入され、両封止部１３、１４の先端部は、例えば溶着等に
よって封止されている。そして、この金属箔１７ａ、１７ｂに接続されたリード線１８ａ
、１８ｂにコネクタ７０ａを介して接続された電流駆動装置７０から電圧が印加されると
、一対の電極１５、１６間でアーク放電が生じ、本体部分１１の中心が高輝度で発光する
。
【００１９】
発光管１の本体部分１１のうち光束射出前方側の略半分は、副鏡３によって覆われてい
る。この副鏡３は、発光管１の本体部分１１から前方に放射された光束を本体部分１１に
戻す副反射部３ａと、この副反射部３ａの根元部を支持した状態で第２封止部１４の周囲
に固定される支持部３ｂとを備える。支持部３ｂは、第２封止部１４を挿通させるととも
に、第２封止部１４との隙間に無機系接着剤ＭＢを充填することによって副反射部３ａを
本体部分１１に対してアライメントした状態で固定可能にしている。
【００２０】
リフレクタ２は、射出反射鏡として機能する部分であり、発光管１の第１封止部１３が
挿通される首状部２ａと、この首状部２ａから拡がる楕円曲面状の主反射部２ｂとを備え
た石英ガラス製の一体成形品である。首状部２ａは、第１封止部１３を挿通させるととも
に、第１封止部１３との隙間に無機系接着剤ＭＢを充填することによって主反射部２ｂを
本体部分１１に対してアライメントした状態で固定可能にしている。
【００２１】
発光管１は、主反射部２ｂの光軸に対応するシステム光軸ＯＡに沿って配置されるとと
もに、本体部分１１内の第１及び第２の電極１５、１６間の発光中心Ｏが主反射部２ｂの
楕円曲面の第１焦点位置と一致するように配置される。発光管１を点灯した場合、本体部
分１１から放射された光束は主反射部２ｂで反射され、或いは副反射部３ａでの反射を経
て主反射部２ｂでさらに反射され、楕円曲面の第２焦点位置（第１封止部１３先端前方）
に収束する光束となる。従って、この場合、リフレクタ２及び副鏡３は、システム光軸Ｏ
Ａに対して略軸対称な反射曲面を有し、一対の電極１５、１６は、その軸心である電極軸
をシステム光軸ＯＡと略一致させるように配置されている。
【００２２】
反射ミラー４は、第２封止部１４から所定の間隔離間した状態で、ハウジング８内面に
立設された一対の固定部材５ａ、５ｂにより固定されている。これにより、反射ミラー４
は、リフレクタ２による光源光の射出方向に対して後方となる第２封止部１４の後方の端
部を覆っている。
【００２３】
冷却ファン６は、モータ６ａにより回転可能となっており、反射ミラー４及びその周辺
領域の放熱を行う。尚、上述のように反射ミラー４と第２封止部１４とを所定間隔だけ離
隔した状態で配置することにより、冷却ファン６による放熱効果がさらに高められる。ま
た、当該箇所にさらに温度感知用のセンサを設け、感知された温度に基づいて冷却ファン
６の回転数を制御してもよい。
【００２４】
図２は、反射ミラー４について説明するための拡大図である。上述した図１のランプユ
ニット１０での発光において、光の一部が、図２に示す第２封止部１４内を伝搬して第２
封止部１４の端面１４ａやあるいはその周辺部分等から周囲に漏れだすことがある。この
ような光の成分のうち、主となる迷光ＳＬは、端面１４ａから射出され、光源光の射出方
向とは反対側、つまり第２封止部１４の後方に向かって伝搬する。この迷光ＳＬは、通常
、光源光として有効に利用されない。また、第２封止部１４の後方側に有機部材等がある
場合には、迷光ＳＬの照射により当該有機部材が赤外線等を受け、過熱され劣化する可能
性もある。
【００２５】
これに対し、本実施形態では、図２に示すように、第２封止部１４の後方側をカバーす
るように反射ミラー４を配置している。従って、反射ミラー４は、反射面４ａにおいて、
後方に射出された迷光ＳＬを前方に反射し、第２封止部１４を逆行する戻り光ＲＬとして
、図１のランプユニット１０側に戻すことができる。これにより、ランプユニット１０側
に戻された戻り光ＲＬを光源光の一部として有効に利用することが可能になる。また、当
該反射ミラー４での反射により、反射ミラー４より後方の部材へ迷光ＳＬが照射されるこ
とを防ぐこともできる。これにより、第２封止部１４の後方周辺において、図１のハウジ
ング８のような有機部材等がある場合であっても、ハウジング８の一部が迷光ＳＬの照射
によって劣化等されることがない。
【００２６】
ここで、上述の反射ミラー４として、例えばガラスにアルミ等を蒸着して反射面４ａを
作成する通常のものを用いてもよいが、この他にも、例えば、反射ミラー４として、所定
の波長帯のみ反射させ、赤外光等を透過させるコールドミラーを用いることも可能である
。コールドミラーは、反射面４ａの部分を多層膜によって構成することで作成される。こ
の場合、当該多層膜の構成により、例えばプロジェクタの光源光としては不要な赤外光や
紫外光はランプユニット１０側に戻さず、必要な可視光波長帯領域の光のみを効率良くラ
ンプユニット１０側に戻す性質のものとすることができる。例えば、第２封止部１４の後
方周辺において、赤外光や紫外光の照射によって劣化等の影響を受けにくい場合にはこの
ようなコールドミラーの使用が可能である。
【００２７】
尚、本実施形態では、光源光の射出方向に対して後方側である第２封止部１４の後方部
分のみに反射ミラー４を設置しているが、例えば、さらに第２封止部１４の側面にも同様
の反射部材を設けることによって、迷光ＳＬのような後方以外（例えば側方）に漏れる光
を反射させて回収することも可能である。
【００２８】
図３は、本実施形態に係る光源装置についての他の一例について説明するための拡大図
である。ここで、本変形例では、反射ミラー４の周辺を除き、図１の光源装置１００と同
様であるから、ランプユニット１０等の全体の図示を省略する。
【００２９】
本変形例では、反射部材として、反射ミラー４に加え、さらに反射ミラー４の背面に拡
散板７が設置されている。拡散板７は、例えば、すりガラス等により構成される拡散手段
であり、図３のように、表面７ａには、ブラスト加工やエッチング加工等により凹凸が形
成されている。これにより、拡散板７は、透過する光を拡散させる作用を有する。拡散板
７は、接着剤等により、反射ミラー４の背面に貼り付けられている。この場合、反射ミラ
ー４には、コールドミラー等の特定波長帯の光のみを反射させるミラーとする。
【００３０】
反射ミラー４としてコールドミラーを用いる場合、可視光波長帯領域の光を反射する一
方、その他の波長帯領域の光を透過する。つまり、反射ミラー４を透過する光の成分には
、赤外光や紫外光が含まれている可能性がある。これらの光の成分のうち、例えば、赤外
光による光線は熱線であり、図１のハウジング８のような部材が第２封止部１４の後方周
辺にある場合、赤外光の照射により、当該部材が過熱され、劣化する可能性がある。同様
に、紫外線の照射が当該部材の劣化を招く場合も考えられる。
【００３１】
これに対し、本変形例では、反射ミラー４の後方にさらに拡散板７が備えられている。
従って、反射ミラー４によって可視光波長帯領域の光といった光源光に必要な光を図１の
ランプユニット１０側に戻すことができるのに加え、さらに、拡散板７により、反射ミラ
ー４を透過した光源光に必要でない光の成分を拡散させることができる。従って、このよ
うな必要でない光に含まれる赤外線等を第２封止部１４の後方において、一定の箇所に集
中させず、拡散できるので、上述のような第２封止部１４の後方周辺での部材の劣化等を
低減することができる。
【００３２】
図４は、本実施形態に係る光源装置についてのさらに別の一例を説明するための平面図
である。尚、図３の場合と同様、ランプユニット１０等の全体についての説明を省略する
。図４では、反射部材であるコールドミラー１０４を、ランプユニット１０の後部端であ
る第２封止部１４の表面に設けている。つまり、コールドミラー１０４は、第２封止部１
４の後側の端部１４ａに接着剤等により貼り付けられている。図１の光源装置１００では
、冷却ファン６による放熱効果を高めるために反射ミラー４を第２封止部１４から離間し
て配置しているが、例えば、当該反射部材周辺において特に冷却効果を高める必要がない
場合等には、図４のような構成が可能となる。
【００３３】
図４の場合、第２封止部１４の端面１４ａから射出される迷光ＳＬは、コールドミラー
１０４の反射面１０４ａにより戻り光ＲＬとして第２封止部１４側に直ちに戻されるので
、第２封止部１４の後方へは射出されない。従って、ランプユニット１０の後方側に別体
として新たな部材を設置する必要がない簡易な構造でありながら、第２封止部１４の後方
に漏れる迷光ＳＬを第２封止部１４の表面においてランプユニット１０側へ戻すことがで
きる。また、この際、反射部材としてコールドミラー１０４を用いることにより、迷光Ｓ
Ｌから光源光として有効でない光を取り除きつつも、可視光波長帯領域等の有効な光を戻
り光ＲＬとして効率よく取り出し、第２封止部１４側へ戻すことができる。尚、図３の場
合のように、コールドミラー１０４の背面にさらに拡散手段である拡散板７に相当するも
のを設け、コールドミラー１０４を透過する赤外光等を拡散させてもよい。
【００３４】
尚、コールドミラー１０４について、例えば多層膜構造のコートによって構成される反
射面１０４ａは、図４では第２封止部１４の後方即ち端面１４ａのみとなっているが、後
方以外（例えば側方）にも設けることは可能である。
【００３５】
〔第２実施形態〕
第１実施形態では、本発明の光源装置について説明したが、第２実施形態では、本発明
の光源装置を組み込んだプロジェクタについて説明する。
【００３６】
図５は、第２実施形態に係るプロジェクタを説明するための概念図である。本実施形態
におけるプロジェクタ２００は、光源装置である光源装置１００と、照明光学系２０と、
色分離光学系３０と、光変調装置である液晶ライトバルブ４０ａ、４０ｂ、４０ｃと、ク
ロスダイクロイックプリズム５０と、投射光学系である投射レンズ６０とを備える。尚、
本プロジェクタ２００において、光源装置１００は、第１実施形態のものと同一であるの
で説明を省略する。また、光源装置１００について、図３、図４に示した態様のものを用
いてもよい。
【００３７】
照明光学系２０は、光源光の光束方向を平行化する光平行化手段である平行化レンズ２
２と、光を分割して重畳するためのインテグレータ光学系を構成する一対のフライアイレ
ンズである第１及び第２フライアイレンズ２３ａ、２３ｂと、光の偏光方向を揃える偏光
変換素子２４と、両フライアイレンズ２３ａ、２３ｂを経た光を重畳させる重畳レンズ２
５と、光の光路を折り曲げるミラー２６とを備え、これらにより均一化された照明光を形
成する。照明光学系２０において、平行化レンズ２２は、光源光の光束方向を略平行に変
換する。第１及び第２フライアイレンズ２３ａ、２３ｂは、それぞれマトリックス状に配
置された複数の要素レンズからなり、これらの要素レンズによって平行化レンズ２２を経
た光を分割して個別に集光・発散させる。偏光変換素子２４は、ＰＢＳアレイで形成され
ており、第１フライアイレンズ２３ａにより分割された各部分光束の偏光方向を一方向の
直線偏光に揃える役割を有する。重畳レンズ２５は、偏光変換素子２４を経た照明光を全
体として適宜収束させて、後段の各色の光変調装置である液晶ライトバルブ４０ａ、４０
ｂ、４０ｃに対する重畳照明を可能にする。
【００３８】
色分離光学系３０は、第１及び第２ダイクロイックミラー３１ａ、３１ｂと、反射ミラ
ー３２ａ、３２ｂ、３２ｃと、３つのフィールドレンズ３３ａ、３３ｂ、３３ｃとを備え
、照明光学系２０により形成された照明光を赤（Ｒ）、緑（Ｇ）及び青（Ｂ）の３色に分
離するとともに、各色光を後段の液晶ライトバルブ４０ａ、４０ｂ、４０ｃへ導く。より
詳しく説明すると、まず、第１ダイクロイックミラー３１ａは、ＲＧＢの３色のうちＲ光
を透過させＧ光及びＢ光を反射する。また、第２ダイクロイックミラー３１ｂは、ＧＢの
２色のうちＧ光を反射しＢ光を透過させる。次に、この色分離光学系３０において、第１
ダイクロイックミラー３１ａを透過したＲ光は、反射ミラー３２ａを経て入射角度を調節
するためのフィールドレンズ３３ａに入射する。また、第１ダイクロイックミラー３１ａ
で反射され、さらに、第２ダイクロイックミラー３１ｂでも反射されたＧ光は、入射角度
を調節するためのフィールドレンズ３３ｂに入射する。さらに、第２ダイクロイックミラ
ー３１ｂを通過したＢ光は、リレーレンズＬＬ１、ＬＬ２及び反射ミラー３２ｂ、３３ｃ
を経て入射角度を調節するためのフィールドレンズ３３ｃに入射する。
【００３９】
液晶ライトバルブ４０ａ、４０ｂ、４０ｃは、入射した照明光の空間的強度分布を変調
する非発光型の光変調装置であり、色分離光学系３０から射出された各色光に対応してそ
れぞれ照明される３つの液晶パネル４１ａ、４１ｂ、４１ｃと、各液晶パネル４１ａ〜４
１ｃの入射側にそれぞれ配置される３つの第１偏光フィルタ４２ａ〜４２ｃと、各液晶パ
ネル４１ａ〜４１ｃの射出側にそれぞれ配置される３つの第２偏光フィルタ４３ａ〜４３
ｃとを備える。第１ダイクロイックミラー３１ａを透過したＲ光は、フィールドレンズ３
３ａ等を介して液晶ライトバルブ４０ａに入射し、液晶ライトバルブ４０ａの液晶パネル
４１ａを照明する。第１及び第２ダイクロイックミラー３１ａ、３１ｂの双方で反射され
たＧ光は、フィールドレンズ３３ｂ等を介して液晶ライトバルブ４０ｂに入射し、液晶ラ
イトバルブ４０ｂの液晶パネル４１ｂを照明する。第１ダイクロイックミラー３１ａで反
射され、第２ダイクロイックミラー３１ｂを透過したＢ光は、フィールドレンズ３３ｃ等
を介して液晶ライトバルブ４０ｃに入射し、液晶ライトバルブ４０ｃの液晶パネル４１ｃ
を照明する。各液晶ライトバルブ４０ａ〜４０ｃは、入射した照明光の空間的強度分布を
変調し、各液晶ライトバルブ４０ａ〜４０ｃにそれぞれ入射した３色の光は、各液晶パネ
ル４１ａ〜４１ｃに電気的信号として入力された駆動信号或いは画像信号に応じて変調さ
れる。この際、第１偏光フィルタ４２ａ〜４２ｃによって、各液晶パネル４１ａ〜４１ｃ
に入射する照明光の偏光方向が調整されるとともに、第２偏光フィルタ４３ａ〜４３ｃに
よって、各液晶パネル４１ａ〜４１ｃから射出される変調光から所定の偏光方向の変調光
が取り出される。以上により、各液晶ライトバルブ４０ａ、４０ｂ、４０ｃは、それぞれ
に対応する各色の像光を形成する。
【００４０】
クロスダイクロイックプリズム５０は、各液晶ライトバルブ４０ａ、４０ｂ、４０ｃか
らの各色の像光を合成する。より詳しく説明すると、クロスダイクロイックプリズム５０
は、４つの直角プリズムを貼り合わせた平面視略正方形状をなし、直角プリズム同士を貼
り合わせた界面には、Ｘ字状に交差する一対の誘電体多層膜５１ａ、５１ｂが形成されて
いる。一方の第１誘電体多層膜５１ａは、Ｒ光を反射し、他方の第２誘電体多層膜５１ｂ
は、Ｂ光を反射する。クロスダイクロイックプリズム５０は、液晶ライトバルブ４０ａか
らのＲ光を誘電体多層膜５１ａで反射して進行方向右側に射出させ、液晶ライトバルブ４
０ｂからのＧ光を誘電体多層膜５１ａ、５１ｂを介して直進・射出させ、液晶ライトバル
ブ４０ｃからのＢ光を誘電体多層膜５１ｂで反射して進行方向左側に射出させる。このよ
うにして、クロスダイクロイックプリズム５０によりＲ光、Ｇ光及びＢ光が合成され、カ
ラー画像による画像光である合成光が形成される。
【００４１】
投射レンズ６０は、クロスダイクロイックプリズム５０を経て形成された合成光による
画像光を所望の拡大率で拡大してスクリーン（不図示）上にカラーの画像を投射する。
【００４２】
本実施形態のプロジェクタ２００は、第１実施形態で説明した光源装置１００を用いて
いるので、光を有効に利用できる。また、光源装置１００から漏れ出る迷光による周辺の
過熱や劣化作用が抑制されているので、例えば、ハウジングや筐体といったプロジェクタ
２００内の部材のうち、光源装置１００の周辺にあるものの劣化等を抑制することができ
る。
【００４３】
尚、この発明は、上記の実施形態に限られるものではなく、その要旨を逸脱しない範囲
において種々の態様において実施することが可能であり、例えば次のような変形も可能で
ある。
【００４４】
上記実施形態のプロジェクタ２００では、光源装置１００からの光を複数の部分光束に
分割するため、一対のフライアイレンズ２３ａ、２３ｂを用いていたが、この発明は、こ
のようなフライアイレンズすなわちレンズアレイを用いないプロジェクタにも適用可能で
ある。さらに、フライアイレンズ２３ａ、２３ｂをロッドインテグレータに置き換えるこ
ともできる。
【００４５】
また、上記プロジェクタ２００において、光源装置１００からの光を特定方向の偏光と
する偏光変換素子２４を用いていたが、この発明は、このような偏光変換素子２４を用い
ないプロジェクタにも適用可能である。
【００４６】
また、上記実施形態では、透過型のプロジェクタに本発明を適用した場合の例について
説明したが、本発明は、反射型プロジェクタにも適用することが可能である。ここで、「
透過型」とは、液晶パネル等を含む液晶ライトバルブが光を透過するタイプであることを
意味しており、「反射型」とは、液晶ライトバルブが光を反射するタイプであることを意
味している。反射型プロジェクタの場合、液晶ライトバルブは液晶パネルのみによって構
成することが可能であり、一対の偏光フィルタは不要である。尚、光変調装置は液晶パネ
ル等に限られず、例えばマイクロミラーを用いた光変調装置であってもよい。
【００４７】
また、プロジェクタとしては、投写面を観察する方向から画像投写を行う前面プロジェ
クタと、投写面を観察する方向とは反対側から画像投写を行う背面プロジェクタとがある
が、図５に示すプロジェクタの構成は、いずれにも適用可能である。
【００４８】
また、上記実施形態では、３つの液晶パネル４１ａ〜４１ｃを用いたプロジェクタ２０
０の例のみを挙げたが、本発明は、１つの液晶パネルのみを用いたプロジェクタ、２つの
液晶パネルを用いたプロジェクタ、或いは、４つ以上の液晶パネルを用いたプロジェクタ
にも適用可能である。
【図面の簡単な説明】
【００４９】
【図１】第１実施形態に係る光源装置について説明するための側断面図である。
【図２】第１実施形態に係る反射部材について説明するための拡大図である。
【図３】第１実施形態に係る光源装置の他の一例について説明するための拡大図である。
【図４】第１実施形態に係る光源装置のさらに異なる一例について説明するための拡大図である。
【図５】第２実施形態に係るプロジェクタについて説明するための平面図である。
【符号の説明】
【００５０】
１００…光源装置、  １０…ランプユニット、  １…発光管、  ２…リフレクタ、  ３
…副鏡、  ４…反射ミラー、  ６…冷却ファン、  ７…拡散板、  １１…本体部分、  １
３、１４…第１、第２封止部、  １２…放電空間、  １５、１６…第１、第２の電極、  
１７ａ、１７ｂ…金属箔、  １８ａ、１８ｂ…リード線、  ２０…照明光学系、  ３０…
色分離光学系、  ４０ａ、４０ｂ、４０ｃ…液晶ライトバルブ、  ５０…クロスダイクロ
イックプリズム、  ６０…投射レンズ
【図１】
2008117644.tif 000003
【図２】
2008117644.tif 000004
【図３】
2008117644.tif 000005
【図４】
2008117644.tif 000006
【図５】
2008117644.tif 000007